(57)【特許請求の範囲】
【請求項１】
建物に庇本体部を取り付けるための庇の取付構造であって、
前記庇本体部の厚さ寸法よりも縦長の固定部を有する複数のアーム部材と、
前記アーム部材の挿通用の孔を有する前記庇本体部の軒元に沿って取り付けられる長尺の化粧部材とを有し、
前記建物の外方に向かって突出するように前記庇本体部の軒元に沿って間隔を置いて前記アーム部材が建物内部構成部材に固定され、前記化粧部材が外方から被せられたうえで、前記アーム部材の突出部に前記庇本体部の後端部が固定されており、
前記化粧部材の表面の中間部には、目隠板が設けられていることを特徴とする庇の取付構造。
【請求項２】
前記目隠板は、前記化粧部材の長手方向に沿って設けられていることを特徴とする請求項１に記載の庇の取付構造。
【請求項３】
前記目隠板は、略水平方向に設けられていることを特徴とする請求項１又は２に記載の庇の取付構造。
【請求項４】
前記目隠板は、突出して設けられていることを特徴とする請求項１乃至３のいずれか１項に記載の庇の取付構造。
【請求項５】
前記目隠板の先端部は下方に傾斜していることを特徴とする請求項１乃至４のいずれか１項に記載の庇の取付構造。
【請求項６】
前記アーム部材は、前記固定部側を下底とする台形状であることを特徴とする請求項１乃至５のいずれか１項に記載の庇の取付構造。
【請求項７】
前記アーム部材は、前記突出部側の上底に相当する部分から前記建物の外方に延びて前記庇本体部を固定する延設固定部が設けられていることを特徴とする請求項６に記載の庇の取付構造。
【請求項８】
前記アーム部材の前記固定部は、固定用部材を介して前記建物内部構成部材に固定されていることを特徴とする請求項１乃至７のいずれか１項に記載の庇の取付構造。
【発明の詳細な説明】
【技術分野】
【０００１】
本発明は、建物に庇本体部を取り付けるための庇の取付構造に関するものである。
【背景技術】
【０００２】
従来から、玄関ポーチなどの庇の取付構造が多数提案され、実施に供されている。
【０００３】
例えば、特許文献１には、庇本体部の付け根の部分に固定ボルトを立設し、中柱に固定した庇の取付構造が開示されている。
【先行技術文献】
【特許文献】
【０００４】
【特許文献１】特開２０００−９６７０３号公報
【発明の概要】
【発明が解決しようとする課題】
【０００５】
特許文献１のような従来の庇の取付構造は、従来の他の庇の取付構造に比べれば、確かに庇本体部の支持強度が高い。
【０００６】
しかしながら、庇本体部の付け根の部分には大きなせん断力が働いているため、この付け根の部分を幅広にして対応しているが、この幅広の付け根の部分を一体形成した特注品の庇本体部を用いなければならず、設計の自由度が低くなるうえに、多様な意匠性を呈するものにすることも難しい。
【０００７】
そこで、本発明は、庇本体部の支持強度が高いのは勿論、設計の自由度が高いうえに、多様な意匠性を呈することができる庇の取付構造を提供することを目的としている。
【課題を解決するための手段】
【０００８】
前記目的を達成するために、本発明の庇の取付構造は、建物に庇本体部を取り付けるための庇の取付構造であって、前記庇本体部の厚さ寸法よりも縦長の固定部を有する複数のアーム部材と、前記アーム部材の挿通用の孔を有する前記庇本体部の軒元に沿って取り付けられる長尺の化粧部材とを有し、前記建物の外方に向かって突出するように前記庇本体部の軒元に沿って間隔を置いて前記アーム部材が建物内部構成部材に固定され、前記化粧部材が外方から被せられたうえで、前記アーム部材の突出部に前記庇本体部の後端部が固定されていることを特徴とする。
【０００９】
ここで、前記アーム部材は、前記固定部側を下底とする台形状であるとよい。
【００１０】
また、前記アーム部材は、前記突出部側の上底に相当する部分から前記建物の外方に延びて前記庇本体部を固定する延設固定部が設けられているとよい。
【００１１】
さらに、前記アーム部材の前記固定部は、固定用部材を介して前記建物内部構成部材に固定されているとよい。
【００１２】
また、前記化粧部材の表面の中間部には、長手方向に沿って、目隠板が略水平方向に突出して設けられているとよい。
【００１３】
さらに、前記目隠板の先端部は下方に傾斜しているとよい。
【発明の効果】
【００１４】
このような本発明の庇の取付構造は、建物に庇本体部を取り付けるための庇の取付構造である。
【００１５】
そして、庇本体部の厚さ寸法よりも縦長の固定部を有する複数のアーム部材と、アーム部材の挿通用の孔を有する庇本体部の軒元に沿って取り付けられる長尺の化粧部材とを有する。
【００１６】
そのうえで、建物の外方に向かって突出するように庇本体部の軒元に沿って間隔を置いてアーム部材が建物内部構成部材に固定され、化粧部材が外方から被せられたうえで、アーム部材の突出部に庇本体部の後端部が固定された構成とされている。
【００１７】
こうした構成なので、建物内部構成部材に固定されるアーム部材の固定部側が庇本体部の厚さ寸法よりも縦長のため、庇本体部の支持強度が高い。
【００１８】
そのうえ、アーム部材の突出部に庇本体部の後端部が固定されるため、庇本体部には様々な構造のものを採用でき、設計の自由度が高いうえに、多様な意匠性を呈することができる。
【００１９】
ここで、アーム部材が、固定部側を下底とする台形状である場合は、アーム部材は、庇本体部の付け根の部分に働く大きなせん断力に耐え得るだけでなく、余分な材料を用いない無駄のない形状である。
【００２０】
また、アーム部材が、突出部側の上底に相当する部分から建物の外方に延びて庇本体部を固定する延設固定部が設けられている場合は、この延設固定部の存在により、庇本体部の支持強度をさらに高くすることができる。
【００２１】
さらに、アーム部材の固定部が、固定用部材を介して建物内部構成部材に固定されている場合は、アーム部材を固定したい建物内部構成部材がアーム部材の固定部の位置に無いときも、この固定用部材を介して容易に固定することができる。
【００２２】
また、化粧部材の表面の中間部には、長手方向に沿って、目隠板が略水平方向に突出して設けられている場合は、この目隠板により、庇本体部の後端部の継ぎ目が外側から見えないようになり、意匠的外観が良い。
【００２３】
さらに、前記目隠板の先端部は下方に傾斜している場合は、庇本体部の後端部の継ぎ目が確実に外側から見えないようになり、より意匠的外観が良い。
【図面の簡単な説明】
【００２４】
【図１】実施例１の庇の取付構造により庇が設けられた建物の概略構成を説明する説明図である。
【図２】実施例１の庇の取付構造の概略構成を説明する説明図である。
【図３】実施例１で用いられるアーム部材を示す図であって、（ａ）は正面図であり、（ｂ）は左側面図である。
【図４】実施例１で用いられる化粧部材を示す斜視図である。
【図５】実施例１で用いられる固定用部材の取付状態を示す説明図である。
【図６】実施例１で用いられる固定用部材を示す斜視図である。
【図７】実施例１の庇の取付施工方法の施工段階を示す説明図である。
【図８】実施例１の庇の取付施工方法の施工段階を示す説明図である。
【図９】実施例１の庇の取付施工方法の施工段階を示す説明図である。
【図１０】実施例１の庇の取付構造におけるアーム部材の取付状態のみを示す説明図である。
【図１１】実施例２の庇の取付構造の概略構成を説明する説明図である。
【図１２】実施例２で用いられるアーム部材を示す図であって、（ａ）は正面図であり、（ｂ）は左側面図である。
【発明を実施するための形態】
【００２５】
以下、本発明を実施するための形態を、図面に示す実施例１，２に基づいて説明する。
【実施例１】
【００２６】
先ず、実施例１の構成について説明する。
【００２７】
図１は、実施例１の庇の取付構造により庇２が設けられた建物１の概略構成を示している。
【００２８】
この実施例１の建物１では、庇２が玄関ポーチの庇として設けられている。
【００２９】
この実施例１の庇の取付構造は、図２に示したように、庇本体部２０の厚さ寸法よりも縦長の固定部３ａを有するアーム部材３，３と、アーム部材３の挿通用の孔４ａ，４ａを有する庇本体部２０の軒元に沿って取り付けられる長尺の化粧部材４とを有している。
【００３０】
そして、建物１の外方に向かって突出するように庇本体部２０の軒元に沿って間隔を置いてアーム部材３，３が、固定部３ａの部分で、建物内部構成部材としての中柱５１と間柱５２（図５も参照）とに固定用部材６を介して固定され、化粧部材４が外方から被せられたうえで、アーム部材３，３の突出部３ｂ，３ｂに庇本体部２０の後端部が固定手段としてのボルト７，・・・で固定されている。
【００３１】
この実施例１では、図３（ａ）及び図３（ｂ）に示したように、固定部３ａ側を下底とする台形状のアーム部材３が用いられる。
【００３２】
ここで、アーム部材３の固定部３ａと突出部３ｂとは略直交しており、固定部３ａには、ボルト３１，３１が建物１側に向かって突出するように、その頭部を溶接で固定することにより設けられている。
【００３３】
そして、このボルト３１，３１にナット１０がそれぞれ螺合されて、アーム部材３の固定部３ａが固定用部材６に固定される（図２を参照）。
【００３４】
また、アーム部材３の突出部３ｂには、庇本体部２０の後端部を固定するためのボルト７を通すボルト孔３ｃ，３ｃが形成されている。
【００３５】
また、この実施例１では、図４に示したような化粧部材４が用いられる。
【００３６】
この化粧部材４は、建物１側に面する側の裏面が開口した長蓋形状を呈しており（図２も参照）、その表面の左右両端部近傍には、アーム部材３の突出部３ｂを挿通するための縦長スリット状の挿通用の孔４ａ，４ａが形成されている。
【００３７】
また、この化粧部材４の表面の下端部近傍には、長手方向に沿って、見切板４ｂが略水平方向に突出して設けられている。
【００３８】
なお、この見切板４ｂは、庇本体部２０の後端部を固定する際に位置決めするためのものであり、その後端部の立上部が化粧部材４の表面に両面テープで固定されている。
【００３９】
そして、この見切板４ｂの立上部の位置では、庇本体部２０の後端部がアーム部材３の突出部３ｂに固定される際には、化粧部材４の裏面側から固定用ビス８，・・・によって、化粧部材４と庇本体部２０とが固定される（図２も参照）。
【００４０】
さらに、この化粧部材４の表面の中間部には、長手方向に沿って、目隠板４ｃが略水平方向に突出して設けられている。
【００４１】
ここで、この目隠板４ｃの先端部は下方に傾斜されており、固定された際の庇本体部２０の後端部の継ぎ目が外側から見えないようになっている。
【００４２】
なお、この目隠板４ｃの後端部には立上部が設けられており、この立上部が固定用リベット９，・・・によって化粧部材４の表面に固定されている（図２も参照）。
【００４３】
一方、建物１側では、図５に示したように、天井梁１１に上端部が接合された中柱５１と間柱５２との間に固定用部材６が取り付けられている。
【００４４】
この固定用部材６は、図６に示したように、裏面が開口した箱形状をしており、表面側には、アーム部材３のボルト３１，３１を通すためのボルト孔６ａ，６ａが形成されており、両側面には、中柱５１と間柱５２とにボルト止めするためのボルト孔６ｂ，・・・が形成されている。
【００４５】
そして、固定用部材６は、ボルト１３，・・・とナット１２，・・・とにより、中柱５１と間柱５２との間に取り付けられている。
【００４６】
次に、この実施例１の庇の取付施工方法について説明しながら、この実施例１の庇の取付構造のより詳細について説明する。
【００４７】
まず、図７に示したように、化粧部材４の挿通用の孔４ａ，４ａへアーム部材３，３の突出部３ｂをそれぞれ挿通するとともに、下面に軒天材２２が貼設されたフレーム材２１の上面に下地材２３を釘打ちして固定し、さらにその上面に接着剤により屋根材２４を貼設する。
【００４８】
そして、図８に示したように、フレーム材２１、軒天材２２、下地材２３、及び屋根材２４を一体としたものの後端部を、アーム部材３，３の突出部３ｂ，３ｂにボルト７，・・・で固定する。
【００４９】
さらに、フレーム材２１、軒天材２２、下地材２３、及び屋根材２４を一体としたものの外側からその縁に沿って、先端部にアーム部材３，３の突出部３ｂ，３ｂが嵌り込む切欠２５ａ，２５ａが形成された門形状のパラペット２５を嵌め込む。
【００５０】
そのうえで、パラペット２５の上面から固定ネジを螺合して、図９に示したように、アーム部材３，３及び化粧部材４が固定された庇本体部２０が組み上がる。
【００５１】
ここで、庇本体部２０の上面の四隅には、アイボルト１４，・・・が設けられており、クレーンによる輸送手段としてのトラックなどの荷台への積み込み、又は荷台からの積み下ろしが可能とされている。
【００５２】
なお、フレーム材２１の後端部には、凸部２１ａ，２１ａが設けられており、化粧部材４の対応する位置には、嵌合孔４ｄ，４ｄが形成されており、凸部２１ａ，２１ａが嵌合孔４ｄ，４ｄに嵌め込まれることにより、庇本体部２０と化粧部材４とがより一体化されている。
【００５３】
また、フレーム材２１の後端部の左右両端には、シール材２１ｂ，２１ｂが設けられており、庇本体部２０と化粧部材４との間の防水がなされている。
【００５４】
こうして工場で庇本体部２０とアーム部材３，３と化粧部材４とを一体に作り上げたものを、建物１の上側の外壁部１５Ａと下側の外壁部１５Ｂとの間に露出された固定用部材６へ取り付けると、図１及び図２に示したように、建物１に庇２が設けられることとなる。
【００５５】
なお、図１０にアーム部材３のみの取付状態を示したように、アーム部材３は、建物内部構成部材としての中柱５１と間柱５２とに固定用部材６を介してしっかりと固定されているので、庇本体部２０の支持強度が高い。
【００５６】
次に、実施例１の作用効果について説明する。
【００５７】
このような実施例１の庇の取付構造は、建物１に庇本体部２０を取り付けるための庇の取付構造である。
【００５８】
そして、庇本体部２０の厚さ寸法よりも縦長の固定部３ａを有するアーム部材３，３と、アーム部材３，３の挿通用の孔４ａ，４ａを有する庇本体部２０の軒元に沿って取り付けられる長尺の化粧部材４とを有する。
【００５９】
そのうえで、建物１の外方に向かって突出するように庇本体部２０の軒元に沿って間隔を置いてアーム部材３，３が建物内部構成部材としての中柱５１と間柱５２とに固定され、化粧部材４が外方から被せられたうえで、アーム部材３，３の突出部３ｂ，３ｂに庇本体部２０の後端部が固定された構成とされている。
【００６０】
こうした構成なので、建物内部構成部材としての中柱５１と間柱５２とに固定されるアーム部材３の固定部３ａ側が庇本体部２０の厚さ寸法よりも縦長のため、庇本体部２０の支持強度が高い。
【００６１】
そのうえ、アーム部材３，３の突出部３ｂ，３ｂに庇本体部２０の後端部が固定されるため、庇本体部２０には様々な構造のものを採用でき、設計の自由度が高いうえに、多様な意匠性を呈することができる。
【００６２】
よって、例えば、庇２を通常よりも低くして設けても、美観を呈するものにすることができる。
【００６３】
さらには、アーム部材３，３の部分のみを残して庇本体部２０を取り外すことができるので、庇２の修繕やリフォームなどを容易に行うこともできる。
【００６４】
ここで、アーム部材３は、固定部３ａ側を下底とする台形状とされている。
【００６５】
このため、アーム部材３は、庇本体部２０の付け根の部分に働く大きなせん断力に耐え得るだけでなく、余分な材料を用いない無駄のない形状である。
【００６６】
また、アーム部材３の固定部３ａは、固定用部材６を介して建物内部構成部材としての中柱５１と間柱５２とに固定されている。
【００６７】
このため、この実施例１のように、アーム部材３を固定したい建物内部構成部材としての中柱５１や間柱５２などがアーム部材３の固定部３ａの位置に無いときも、この固定用部材６を介して容易に固定することができる。
【００６８】
また、化粧部材４の表面の中間部には、長手方向に沿って、目隠板４ｃが略水平方向に突出して設けられている。
【００６９】
このため、この目隠板４により、庇本体部２０の後端部の継ぎ目が外側から見えないようになり、意匠的外観が良い。
【００７０】
さらに、目隠板４ｃの先端部は下方に傾斜している。
【００７１】
このため、庇本体部２０の後端部の継ぎ目が確実に外側から見えないようになり、より意匠的外観が良い。
【実施例２】
【００７２】
次に、実施例２について説明する。
【００７３】
なお、実施例１で説明した内容と同一乃至均等な部分の説明については同一符号を付して説明する。
【００７４】
図１１は、実施例２の庇の取付構造の概略構成を示している。
【００７５】
この実施例２の庇の取付構造では、図１２に示したように、実施例１で用いたアーム部材３の基本構成に加え、突出部３ｂの上底に相当する部分から建物１の外方に延びて庇本体部２０を固定する延設固定部３０ａが設けられるとともに、ボルト孔３ｃ，・・・の代わりにビス孔３０ｃ，・・・が設けられたアーム部材３０を用い、アーム部材３０，３０を固定手段としてのビス７０，・・・で庇本体部２０の後端部に固定して実施することが主に異なる。
【００７６】
すなわち、この延設固定部３０ａの存在により、実施例１の庇の取付構造と比べても、庇本体部２０の支持強度をさらに高くすることができる。
【００７７】
なお、他の構成及び作用効果については、実施例１と略同様であるので説明を省略する。
【００７８】
以上、図面を参照して、本発明を実施するための形態を実施例１，２に基づいて詳述してきたが、具体的な構成は、これら実施例１，２に限らず、本発明の要旨を逸脱しない程度の設計的変更は、本発明に含まれる。
【００７９】
例えば、上記した実施例１，２では、アーム部材３，３０を２つ用いて実施したが、これに限定されず、３つ以上用いて実施してもよい。
【００８０】
また、上記した実施例１，２では、アーム部材３，３０の主要部分の形状を台形状として実施したが、これに限定されず、庇本体部２０の厚さ寸法よりも縦長の固定部を有するようにすれば、その他様々な形状で実施してもよい。
【００８１】
さらに、上記した実施例１，２では、アーム部材３，３０を固定する建物内部構成部材として、中柱５１と間柱５２とを採用したが、これに限定されず、例えば、より高い箇所に設ける場合には、天井梁１１などを建物内部構成部材として実施してもよい。
【００８２】
また、上記した実施例１，２では、庇２を玄関ポーチの庇としたが、これに限定されず、例えば、窓の庇などとして実施してもよい。
【００８３】
さらに、上記した実施例１，２では、説明を分かり易くするために、目隠板４ｃの表面の高さ位置を庇本体部２０の表面の高さ位置より若干高くして実施したが、これに限定されない。
【００８４】
すなわち、庇本体部２０の後端部の部分には樋が設けられるため、実際には庇本体部２０の表面にはこの後端部に向かって下る傾斜が設けられるので、これを考慮して目隠板４ｃの表面の高さ位置を庇本体部２０の表面の高さ位置と略同一にして実施してもよい。
【００８５】
また、上記した実施例１，２では、アーム部材３，３０の突出部３ｂや延設固定部３０ａに庇本体部の後端部を固定するための固定手段として、ボルト７，・・・やビス７０，・・・を用いて実施したが、これに限定されず、釘などを用いて実施してもよい。
【符号の説明】
【００８６】
１      建物
２      庇
２０    庇本体部
２１    フレーム材
２１ａ  凸部
２１ｂ  シール材
２２    軒天材
２３    下地材
２４    屋根材
２５    パラペット
２５ａ  切欠
３      アーム部材
３０    アーム部材
３０ａ  延設固定部
３１    ボルト
３ａ    固定部
３ｂ    突出部
３ｃ    ボルト孔
３０ｃ  ビス孔
４      化粧部材
４ａ    アーム部材の挿通用の孔
４ｂ    見切板
４ｃ    目隠板
４ｄ    嵌合孔
５１    中柱（建物内部構成部材）
５２    間柱（建物内部構成部材）
６      固定用部材
６ａ    ボルト孔
６ｂ    ボルト孔
７      ボルト（固定手段）
７０    ビス（固定手段）
８      固定用ビス
９      固定用リベット
１０    ナット
１１    天井梁
１２    ナット
１３    ボルト
１４    アイボルト
１５Ａ  外壁部
１５Ｂ  外壁部
【図１】
0005740247.tif 000002
【図２】
0005740247.tif 000003
【図３】
0005740247.tif 000004
【図４】
0005740247.tif 000005
【図５】
0005740247.tif 000006
【図６】
0005740247.tif 000007
【図７】
0005740247.tif 000008
【図８】
0005740247.tif 000009
【図９】
0005740247.tif 000010
【図１０】
0005740247.tif 000011
【図１１】
0005740247.tif 000012
【図１２】
0005740247.tif 000013